(57)【特許請求の範囲】
【請求項１】
外槽と、前記外槽内に懸垂支持された水受槽と、前記水受槽内に回転自在に配設された洗濯槽と、前記洗濯槽内に回転自在に設けた撹拌翼と、前記洗濯槽及び攪拌翼に駆動力を伝達するモータと、上部に段部を有する前記モータ進相用のコンデンサと、前記コンデンサの上面に設けられたリード線と前記コンデンサとの接続部を覆うコンデンサキャップとを備え、前記コンデンサキャップは、前記段部に対応する位置に設けられた第１の爪部と、前記外槽に設けられた穴に係止されるフック部と、前記外槽にねじ止め固定されるボス部とを有し、前記第１の爪部は、前記フック部が前記外槽の穴に係止され前記ボス部が前記外槽にねじ止め固定されるときに前記外槽から受ける押圧により前記コンデンサの段部に係止されることを特徴とする電気洗濯機。
【請求項２】
コンデンサは、底部に凹部を有し、外槽は、前記凹部に挿入することにより前記コンデンサを下方より支える支え部を有することを特徴とする請求項１記載の電気洗濯機。
【請求項３】
コンデンサキャップは、第１の爪部とは対向する位置に第２の爪部を有し、前記第２の爪部は、前記ボス部が前記外槽にねじ止め固定されるにしたがい前記コンデンサキャップがたわむことによりコンデンサの段部に係止されることを特徴とする請求項１または２に記載の電気洗濯機。
【発明の詳細な説明】
【０００１】
【発明の属する技術分野】
本発明はモータの進相用のコンデンサのリード線の接続部に水が付着するのを防止するコンデンサキャップを有する電気洗濯機に関するものである。
【０００２】
【従来の技術】
従来、この種の電気洗濯機は、図６に示すように構成していた。以下、その構成について説明する。
【０００３】
図に示すように、外槽１は、内部に水受槽２を懸垂支持し、この水受槽２の内部に洗濯兼脱水槽（洗濯槽）３を回転自在に配設し、洗濯兼脱水槽３の底部に撹拌翼４を回転自在に設けている。水受槽２の外底部で水受槽２の中心に撹拌翼４を駆動させる減速機構部５を配設し、モータ６の駆動力を伝達する。コンデンサ７は、モータ６に印加する電圧位相を進相するもので、コンデンサブラケット８により外槽１に取り付けている。コンデンサキャップ９は、コンデンサ７とモータ６を接続しているリード線１０のコンデンサ７との接続部に水が付着するのを防止するもので、コンデンサ７の上方部に覆設している。
【０００４】
上記構成において図７を参照しながら組立工程を説明すると、コンデンサ７とモータ６を接続しているリード線１０をコンデンサ７に接続し（矢印ａ）、リード線１０とコンデンサ７との接続部に水が付着するのを防止するコンデンサキャップ９をコンデンサ７に被せる（矢印ｂ）。そして、コンデンサ７を外槽１に取り付けるために、コンデンサブラケット８をコンデンサ７の段部７ａに当て（矢印ｃ）、コンデンサブラケット８のフランジ部８ａを外槽１に設けた角穴１ａに挿入する（矢印ｄ）。
【０００５】
そして、他方のフランジ部８ｂに設けたねじ取り付け穴８ｃを外槽１の丸穴１ｂに合わせた後（矢印ｅ）に、外槽１の丸穴１ｂを介してコンデンサブラケット８のフランジ部８ｂのねじ取り付け穴８ｃを合わせて、取り付けねじ１１で締め付け（矢印ｆ）、コンデンサ７の下部を外槽１に設けた支持部１２により支持する。
【０００６】
【発明が解決しようとする課題】
このような従来の構成では、コンデンサを組み立てる際に、コンデンサブラケット８が必要で組み立て部品が多く、また、組み立て工数（組み立て方）も複雑で、組み立てが難しいという問題があった。
【０００７】
また、図８に示すように、コンデンサキャップ９に爪部１３を設け、この爪部１３によりコンデンサキャップ９をコンデンサ７に係止しており、爪部１３の形状は、コンデンサ７を挿入しにくく、また、金型構造もスライド式または無理抜き式になり、スライド式は金型構造が難しくコスト高になり、また、無理抜き式は成型条件が難しいという問題を有していた。
【０００８】
本発明は上記課題を解決するもので、コンデンサを組み立てる際の部品点数を低減し、容易に組み立てできるようにすることを目的としている。
【０００９】
【課題を解決するための手段】
本発明の電気洗濯機においては、モータの進相用のコンデンサの上方部にリード線とコンデンサとの接続部に水が付着するのを防止するコンデンサキャップを覆設し、このコンデンサキャップは、その下方開口部の一部に外槽に設けた穴に係止するフック部を有するとともに、このフック部から周方向に離れた位置に外槽にねじ止め固定されるボス部を有し、かつ外槽には、コンデンサを下方より支える支え部を設けたものである。
【００１０】
これにより、コンデンサの上方部に覆設したコンデンサキャップによってコンデンサの上方部を固定することができ、コンデンサの下部を外槽に設けた支え部により支えることにより、コンデンサを外槽に強固に取り付けることができる。このとき、従来例のように、コンデンサブラケットの必要がなく、コンデンサを組み立てる際の部品点数を低減することができ、容易に組み立てすることができる。
【００１１】
【発明の実施の形態】
本発明の請求項１に記載の発明は、外槽と、前記外槽内に懸垂支持された水受槽と、前記水受槽内に回転自在に配設された洗濯槽と、前記洗濯槽内に回転自在に設けた撹拌翼と、前記洗濯槽及び攪拌翼に駆動力を伝達するモータと、上部に段部を有する前記モータ進相用のコンデンサと、前記コンデンサの上面に設けられたリード線と前記コンデンサとの接続部を覆うコンデンサキャップとを備え、前記コンデンサキャップは、前記段部に対応する位置に設けられた第１の爪部と、前記外槽に設けられた穴に係止されるフック部と、前記外槽にねじ止め固定されるボス部とを有し、前記第１の爪部は、前記フック部が前記外槽の穴に係止され前記ボス部が前記外槽にねじ止め固定されるときに前記外槽から受ける押圧により前記コンデンサの段部に係止されるものであり、コンデンサの上方部に覆設したコンデンサキャップのフック部を外槽に設けた穴に係止し、ボス部を外槽にねじ止めすることによってコンデンサの上方部を固定することができ、また爪部の外側を外槽側より押圧し、爪部によりコンデンサの上方部を段部にて係止することができるため、コンデンサキャップとコンデンサが抜けにくくなって、コンデンサを外槽に強固に取り付けることができる。このとき、従来例のように、コンデンサブラケットが必要でなく、コンデンサを組み立てる際の部品点数を低減することができ、容易に組み立てすることができる。また、爪部は、金型的にもスライドコアを使用しなくても、簡単な上下抜きで構成でき、さらにコスト力を向上することができる。
【００１２】
請求項２に記載の発明は、上記請求項１に記載の発明において、コンデンサは、底部に凹部を有し、外槽は、前記凹部に挿入することにより前記コンデンサを下方より支える支え部を有するものであり、コンデンサの下部を外槽に設けた支え部により支えることにより、コンデンサを外槽に強固に取り付けることができる。
【００１３】
請求項３に記載の発明は、上記請求項１または２に記載の発明において、コンデンサキャップは、第１の爪部とは対向する位置に第２の爪部を有し、前記第２の爪部は、前記ボス部が前記外槽にねじ止め固定されるにしたがい前記コンデンサキャップがたわむことによりコンデンサの段部に係止されるように構成したものであり、取り付けねじを締め付ければ、締め付けるほどコンデンサキャップがたわみ、第２の爪部がコンデンサの段部に深く係止することができ、コンデンサキャップとコンデンサが抜けにくくなって、コンデンサを外槽に強固に取り付けることができる。
【００１４】
以下、本発明の一実施の形態について、図面を参照しながら説明する。なお、従来例と同じ構成のものは同一符号を付して説明を省略する。
【００１５】
（実施の形態１）
図１および図２に示すように、コンデンサキャップ１４は、モータ６の進相用のコンデンサ７の上方部に覆設し、モータ６とコンデンサ７とを接続するリード線１０とコンデンサ７との接続部に水が付着するのを防止するもので、このコンデンサキャップ１４は、その下方開口部の一部に外槽１５に設けた穴１６に係止するフック部１７を設けるとともに、このフック部１７から周方向に離れた位置にボス部１８を設け、取り付け穴１９を挿通した取り付けねじ１１で外槽１にねじ止め固定するように構成している。
【００１６】
また、コンデンサキャップ１４には、フック部１７とボス部１８との間にコンデンサ７の上方部を段部７ａにて係止する爪部２０を一体に設け、この爪部２０の外側をボス部１８のねじ止めにより、外槽１５側より押圧するように構成している。外槽１５には、コンデンサ７を下方より支える支え部２１を設け、この支え部２１は、図３に示すように、コンデンサ７の下部に設けた凹部７ｂに挿入してコンデンサ７を支持するようにしている。
【００１７】
上記構成において図１および図４を参照しながら組立工程を説明すると、コンデンサ７とモータ６を接続しているリード線１０をコンデンサ７に接続し（矢印ｇ）、リード線１０とコンデンサ７との接続部に水が付着するのを防止するコンデンサキャップ１４をコンデンサ７に被せる（矢印ｈ）。
【００１８】
そして、コンデンサキャップ１４を外槽１５にとりつけるために、コンデンサキャップ１４のフック部１７の係止部分を外槽１５に設けた穴１６に通し（矢印ｉ）、その後に下方向にずらして（矢印ｊ）外槽１５の支え部２１にコンデンサ７の下端部を当てる。その後、コンデンサキャップ１４のボス部１８の穴を外槽１５の取り付け穴１９に合わした後（矢印ｋ）に、取り付けねじ１１で締め付ける（矢印Ｌ）。
【００１９】
このようにボス部１８を外槽１５にねじ止めすると、爪部２０の外側を外槽１５側より押圧するため、爪部２０は図４（ａ）に示す状態から、４（ｂ）に示す状態になり、爪部２０によりコンデンサ７の上方部を段部７ａにて係止することができ、コンデンサキャップ１４とコンデンサ７が抜けにくくなって、コンデンサ７を外槽１５に強固に取り付けることができる。
【００２０】
そのため、組み立てる際に組み立て部品が少なく、また組み立て工数（組み立て方）も削減され、作業性を向上することができ、さらに、爪部２０は、傾けているため、金型構造もスライド式または無理抜き式にしなくても、上下抜きの金型構造のみで構成することができ、さらにコスト力を向上することができる。
【００２１】
（実施の形態２）
図５に示すように、コンデンサキャップ２２は、フック部１７とボス部１８との間に設けた爪部２０と対向する位置に、第２の爪部２３を設け、ボス部１８のねじ止めにより下方開口部がたわみ、第２の爪部２３がコンデンサ７の段部７ａに係止するように構成している。他の構成は上記実施の形態１と同じである。
【００２２】
上記構成において組立工程を説明すると、上記実施の形態１と同様に、コンデンサ７にリード線１０を接続し、コンデンサキャップ２２をコンデンサ７に被せた後、図５（ａ）に示すように、コンデンサキャップ２２のボス部１８に取り付けねじ１１を挿入し、図５（ｂ）に示すように、取り付けねじ１１を締め付けていくと、外槽１５とコンデンサキャップ２２の隙間ａを大きくとっているため、図５（ｃ）に示すように、フック部１７を支点として、取り付けねじ１１を締め込んでいくにしたがい、爪部２０を外槽１５側より押圧することによって、コンデンサ７との固定がよくなって行くと同時に、コンデンサキャップ２２がたわんで、第２の爪部２３がコンデンサ７の段部７ａに深く係止することができ、コンデンサキャップ２２とコンデンサ７が抜けにくくなって、コンデンサ７を外槽１５に強固に取り付けることができる。
【００２３】
なお、上記説明では、外槽１５は内に水受槽２を懸垂支持し、この水受槽２の内部に洗濯兼脱水槽（洗濯槽）３を回転自在に配設し、洗濯兼脱水槽３の底部に撹拌翼４を回転自在に設けた電気洗濯機について説明しているが、外槽内に配設した洗濯槽内に攪拌翼を回転自在に設けた電気洗濯機であってもよい。
【００２４】
【発明の効果】
以上のように本発明の請求項１に記載の発明によれば、外槽と、前記外槽内に懸垂支持された水受槽と、前記水受槽内に回転自在に配設された洗濯槽と、前記洗濯槽内に回転自在に設けた撹拌翼と、前記洗濯槽及び攪拌翼に駆動力を伝達するモータと、上部に段部を有する前記モータ進相用のコンデンサと、前記コンデンサの上面に設けられたリード線と前記コンデンサとの接続部を覆うコンデンサキャップとを備え、前記コンデンサキャップは、前記段部に対応する位置に設けられた第１の爪部と、前記外槽に設けられた穴に係止されるフック部と、前記外槽にねじ止め固定されるボス部とを有し、前記第１の爪部は、前記フック部が前記外槽の穴に係止され前記ボス部が前記外槽にねじ止め固定されるときに前記外槽から受ける押圧により前記コンデンサの段部に係止されるものであり、コンデンサの上方部に覆設したコンデンサキャップのフック部を外槽に設けた穴に係止し、ボス部を外槽にねじ止めすることによってコンデンサの上方部を固定することができ、また第１の爪部の外側を外槽側より押圧し、第１の爪部によりコンデンサの上方部を段部にて係止することができるため、コンデンサキャップとコンデンサが抜けにくくなって、コンデンサを外槽に強固に取り付けることができ、上下の衝撃があっても外れることがなくなる。このとき、従来例のように、コンデンサブラケットが必要でなく、コンデンサを組み立てる際の部品点数を低減することができ、容易に組み立てすることができる。さらに、第１の爪部は、金型的にもスライドコアを使用しなくても、簡単な上下抜きで構成でき、コスト力を向上することができる。
【００２５】
また、請求項２に記載の発明によれば、コンデンサは、底部に凹部を有し、外槽は、前記凹部に挿入することにより前記コンデンサを下方より支える支え部を有するものであり、コンデンサの下部を外槽に設けた支え部により支えることにより、コンデンサを外槽に強固に取り付けることができる。
【００２６】
また、請求項３に記載の発明によれば、コンデンサキャップは、第１の爪部とは対向する位置に第２の爪部を有し、前記第２の爪部は、前記コンデンサキャップが外槽から押圧されてたわむことによりコンデンサの段部に係止されるように構成したものであり、取り付けねじを締め付ければ、締め付けるほどコンデンサキャップがたわみ、第２の爪部がコンデンサの段部に深く係止することができ、コンデンサキャップとコンデンサが抜けにくくなって、コンデンサを外槽に強固に取り付けることができる。
【図面の簡単な説明】
【図１】  本発明の第１の実施の形態の電気洗濯機の一部切欠した要部分解斜視図
【図２】  同電気洗濯機の縦断面図
【図３】  同電気洗濯機のコンデンサの取り付け状態の一部切欠した拡大断面図
【図４】  （ａ）同電気洗濯機のコンデンサキャップの締め付け前の要部拡大断面図
（ｂ）同電気洗濯機のコンデンサキャップの締め付け後の要部拡大断面図
【図５】  （ａ）本発明の第２の実施の形態の電気洗濯機のコンデンサキャップの締め付け前の上面図
（ｂ）同電気洗濯機のコンデンサキャップの締め付け途中の上面図
（ｃ）同電気洗濯機のコンデンサキャップの締め付け後の上面図
【図６】  従来の電気洗濯機の縦断面図
【図７】  同電気洗濯機の一部切欠した要部分解斜視図
【図８】  同電気洗濯機のコンデンサの取り付け状態の拡大断面図
【符号の説明】
３  洗濯兼脱水槽（洗濯槽）
４  攪拌翼
６  モータ
７  コンデンサ
１０  リード線
１４  コンデンサキャップ
１５  外槽
１６  穴
１７  フック部
１８  ボス部
２１  支え部
【図１】
0003814856.tif 000002
【図２】
0003814856.tif 000003
【図３】
0003814856.tif 000004
【図４】
0003814856.tif 000005
【図５】
0003814856.tif 000006
【図６】
0003814856.tif 000007
【図７】
0003814856.tif 000008
【図８】
0003814856.tif 000009